(57)【特許請求の範囲】
【請求項１】
複数のメカユニットと、
前記メカユニットに電力を供給するバッテリと、
前記バッテリによって前記メカユニットに供給される第１の電力の量と、外部から前記メカユニットに供給される第２の電力の量とを切り換える切換回路を含む変動装置と、
取引内容に基づいて実行される所定の処理に従って動作するメカユニットを前記メカユニットから検出し、検出したメカユニットの動作にかかる消費電力に基づいた値を予め設定された許容消費電力と比較し、比較結果に基づいて前記変動装置による切り換え動作を制御する制御装置と、
を有していることを特徴とする自動取引装置。
【請求項２】
前記制御装置は、取引内容に基づいて実行される所定の処理に従って動作する１つまたは２つ以上のメカユニットを前記メカユニットから検出し、検出した１つまたは２つ以上のメカユニットの動作にかかる総消費電力を算出し、算出した総消費電力に基づいた値を前記許容消費電力と比較すること、
を特徴とする請求項１記載の自動取引装置。
【請求項３】
前記比較結果において、前記消費電力が前記許容消費電力を超える場合に、
前記制御装置は、前記変動装置に前記第１の電力の量と前記第２の電力の量との供給を切り換えて、前記第１の電力の量のみから供給させる、
ことを特徴とする請求項１または２に記載の自動取引装置。
【請求項４】
前記比較結果において、前記消費電力が前記許容消費電力を下回る場合に、
前記制御装置は、前記変動装置に前記第１の電力の量と前記第２の電力の量との供給を切り換えて、前記第２の電力の量のみから供給させる、
ことを特徴とする請求項１または２に記載の自動取引装置。
【請求項５】
前記バッテリは、無停電電源としても機能すること、
を特徴とする請求項１〜４のいずれか１項に記載の自動取引装置。
【請求項６】
前記制御装置は、前記メカユニットのそれぞれの動作にかかる消費電力が示されている消費電力情報を参照して、検出したメカユニットの動作にかかる消費電力を算出すること、
を特徴とする請求項１〜５のいずれか１項に記載の自動取引装置。
【請求項７】
複数のメカユニットと前記メカユニットに電力を供給するバッテリとを有している自動取引装置が実行する電力供給方法であって、
取引内容に基づいて実行される所定の処理に従って動作するメカユニットを前記メカユニットから検出し、
検出したメカユニットの動作にかかる消費電力に基づいた値を予め設定された許容消費電力と比較し、
比較結果に基づいて、前記バッテリによって前記メカユニットに供給される第１の電力の量と、外部から前記メカユニットに供給される第２の電力の量とを切り換える、
ことを特徴とする電力供給方法。
【請求項８】
複数のメカユニットと前記メカユニットに電力を供給するバッテリとを有している自動取引装置に用いられる電力供給制御プログラムであって、コンピュータに、
取引内容に基づいて実行される所定の処理に従って動作するメカユニットを前記メカユニットから検出し、
検出したメカユニットの動作にかかる消費電力に基づいた値を予め設定された許容消費電力と比較し、
比較結果に基づいて、前記バッテリによって前記メカユニットに供給される第１の電力の量と、外部から前記メカユニットに供給される第２の電力の量とを切り換える、
処理を実行させることを特徴とする電力供給制御プログラム。
【発明の詳細な説明】
【技術分野】
【０００１】
本件は、自動取引装置、自動取引装置が実行する電力供給方法、および、自動取引装置に用いられる電力供給制御プログラムに関する。
【背景技術】
【０００２】
自動取引装置（ＡＴＭ：Automated Teller Machine）が設置された金融機関の店舗や小売店等では、自動取引装置に電力を供給する配電盤等の電力供給設備が設けられている。電力供給設備の電力供給能力は、例えば、自動取引装置の最大消費電力に基づいて設定されている。電力供給設備のコストは、例えば、電力供給能力に比例して大きくなるため、電力供給設備のコストを低減する方法の１つとして、電力供給設備に求められる電力供給能力を低くすることが考えられる。
【先行技術文献】
【特許文献】
【０００３】
【特許文献１】特開２００１−７６２０７号公報
【特許文献２】特開平７−２３１４１号公報
【発明の概要】
【発明が解決しようとする課題】
【０００４】
電力供給設備に求められる電力供給能力を低くする方法としては、例えば、自動取引装置にバッテリを内蔵し、このバッテリを使用することで、電力供給設備が負担する電力を低減する方法が考えられる。
【０００５】
例えば、電話機において、消費電力の大きいスピーカの動作命令に応じて内部のバッテリを使用することで、交換機が負担する電力を低減する技術がある。仮に、このような技術を自動取引装置に適用できたとした場合、例えば、自動取引装置が有している特定のメカユニットの動作命令に応じて内部のバッテリを使用することが考えられる。
【０００６】
しかしながら、特定のメカユニットの動作命令に応じて内部のバッテリを使用する方法では、内部のバッテリを使用するタイミングを電力供給設備の電力供給能力に応じて調整することは難しい。
【０００７】
このような点に鑑み、開示の自動取引装置、電力供給方法、および、電力供給制御プログラムでは、バッテリの使用タイミングの調整能力を向上することを目的とする。
【課題を解決するための手段】
【０００８】
上記目的を達成するために以下のような自動取引装置、電力供給方法、および、電力供給プログラムが提供される。
この自動取引装置は、複数のメカユニットと、メカユニットに電力を供給するバッテリと、バッテリによってメカユニットに供給される第１の電力の量と、外部からメカユニットに供給される第２の電力の量とを切り換える切換回路を含む変動装置と、取引内容に基づいて実行される所定の処理に従って動作するメカユニットをメカユニットから検出し、検出したメカユニットの動作にかかる消費電力に基づいた値を予め設定された許容消費電力と比較し、比較結果に基づいて変動装置による切り換え動作を制御する制御装置と、を有している。
【０００９】
また、この電力供給方法は、複数のメカユニットとメカユニットに電力を供給するバッテリとを有している自動取引装置が実行する電力供給方法であって、取引内容に基づいて実行される所定の処理に従って動作するメカユニットをメカユニットから検出し、検出したメカユニットの動作にかかる消費電力に基づいた値を予め設定された許容消費電力と比較し、比較結果に基づいて、バッテリによってメカユニットに供給される第１の電力の量と、外部からメカユニットに供給される第２の電力の量とを切り換える。
【００１０】
また、この電力供給制御プログラムは、複数のメカユニットとメカユニットに電力を供給するバッテリとを有している自動取引装置に用いられる電力供給制御プログラムであって、コンピュータに、取引内容に基づいて実行される所定の処理に従って動作するメカユニットをメカユニットから検出し、検出したメカユニットの動作にかかる消費電力に基づいた値を予め設定された許容消費電力と比較し、比較結果に基づいて、バッテリによってメカユニットに供給される第１の電力の量と、外部からメカユニットに供給される第２の電力の量とを切り換える、処理を実行させる。
【発明の効果】
【００１１】
開示の自動取引装置、電力供給方法、および、電力供給制御プログラムによれば、バッテリの使用タイミングの調整能力を向上することが可能となる。
【図面の簡単な説明】
【００１２】
【図１】第１の実施の形態に係る自動取引装置の一例を示す図である。
【図２】第２の実施の形態に係る自動取引システムの一例を示す図である。
【図３】第２の実施の形態に係る自動取引装置のハードウェアの一例を示す図である。
【図４】第２の実施の形態に係る電源ユニットの回路の一例を示す図である。
【図５】第２の実施の形態に係る制御装置の機能の一例を示す図である。
【図６】第２の実施の形態に係る消費電力情報の一例を示す図である。
【図７】第２の実施の形態に係る取引の手順の一例を示すフローチャートである。
【図８】第２の実施の形態に係る取引の手順の一例を示すフローチャートである。
【図９】第２の実施の形態に係る電力供給の手順の一例を示すフローチャートである。
【図１０】第２の実施の形態に係る配電盤が負担する消費電力の遷移の一例を示す図である。
【発明を実施するための形態】
【００１３】
以下、実施の形態を図面を参照して説明する。
［第１の実施の形態］
図１は、第１の実施の形態に係る自動取引装置の一例を示す図である。
【００１４】
自動取引装置１は、例えば、金融機関の店舗に設置されている。自動取引装置１は、メカユニット２ａ，２ｂ，２ｃと、バッテリ３と、外部電源６に接続された変動装置４と、制御装置５とを有している。外部電源６は、例えば、店舗内に設置された配電盤等の電力供給設備である。
【００１５】
自動取引装置１は、受け付けた取引内容に基づいてメカユニット２ａ〜２ｃを用いて所定の処理を実行する。所定の処理には、例えば、現金の計数処理、現金の出金処理、レシートの排出処理、および、カードまたは通帳の返却処理等がある。メカユニット２ａ〜２ｃは、例えば、紙幣取扱ユニット、硬貨取扱ユニット、通帳取扱ユニット、または、カード・レシート取扱ユニット等である。
【００１６】
メカユニット２ａ〜２ｃはそれぞれ、実行される所定の処理に従って、単独で、または、他のメカユニットと並行して動作する。例えば、現金の計数処理では、紙幣取扱ユニットのみが動作する場合と、紙幣取扱ユニットおよび硬貨取扱ユニットの両方が動作する場合とがある。ここで、メカユニットの数は、３つに限定されるものではない。
【００１７】
なお、自動取引装置１の消費電力は、例えば、メカユニット２ａ〜２ｃの動作にかかる消費電力に、その他の一定量の消費電力を加えることで求められる。すなわち、その他の一定量の消費電力とは、メカユニット２ａ〜２ｃが動作していない状態において自動取引装置１が消費する電力である。
【００１８】
バッテリ３は、メカユニット２ａ〜２ｃに電力を供給する。変動装置４は、バッテリ３によってメカユニット２ａ〜２ｃに供給される電力の量と、外部電源６によってメカユニット２ａ〜２ｃに供給される電力の量とを変動させる。
【００１９】
制御装置５は、実行される所定の処理に従って動作するメカユニットをメカユニット２ａ〜２ｃから検出し、検出したメカユニットの動作にかかる消費電力に基づいた値を予め設定された許容消費電力と比較する。
【００２０】
検出したメカユニットの動作にかかる消費電力に基づいた値とは、例えば、検出したメカユニットの動作にかかる消費電力に、メカユニット２ａ〜２ｃが動作していない状態において自動取引装置１が消費する電力を加算した値である。
【００２１】
許容消費電力は、例えば、外部電源６の電力供給能力に基づいて設定されている。例えば、許容消費電力は、外部電源６の電力供給能力と同じ値に設定されている。なお、許容消費電力の値は、変更することが可能である。さらに、制御装置５は、比較結果に基づいて変動装置４による変動動作を制御する。
【００２２】
制御装置５は、例えば、通常時、変動装置４を制御して、メカユニット２ａ〜２ｃへの電力の供給を外部電源６によってのみ行わせる。そして、制御装置５は、例えば、検出したメカユニットの動作にかかる消費電力にメカユニット２ａ〜２ｃが動作していない状態において自動取引装置１が消費する電力を加算した値が、許容消費電力を超える場合、変動装置４を制御して、メカユニット２ａ〜２ｃへの電力の供給を、外部電源６およびバッテリ３、または、バッテリ３のみによって行わせる。
【００２３】
次に、制御装置５による変動装置４の制御手順について説明する。
まず、制御装置５が、実行される所定の処理に従って動作するメカユニットをメカユニット２ａ〜２ｃから検出する。次に、制御装置５が、検出したメカユニットの動作にかかる消費電力に基づいた値を予め設定された許容消費電力と比較する。次に、制御装置５が、比較結果に基づいて変動装置４による変動動作を制御する。
【００２４】
このような自動取引装置１によれば、バッテリ３を使用するタイミングを、許容消費電力の値を変更することで変えることができる。これにより、自動取引装置１では、バッテリ３の使用タイミングを、外部電源６の電力供給能力に応じて調整することが可能となる。
【００２５】
［第２の実施の形態］
次に、第２の実施の形態に係る自動取引装置について説明する。
図２は、第２の実施の形態に係る自動取引システムの一例を示す図である。
【００２６】
自動取引システム１０は、金融機関等の店舗１１に設置された自動取引装置２１と、自動取引装置２１とネットワーク１３を介して接続されたホスト装置１２とを含んでいる。店舗１１には、電力供給ライン２２に接続された配電盤２３が設置されている。自動取引装置２１には、配電盤２３から電力供給コード２３ａを介して電力が供給される。なお、配電盤２３は、商用電源とも称される。
【００２７】
自動取引装置２１は、取引内容を受け付け、受け付けた取引内容に基づいた取引をホスト装置１２に要求する。また、自動取引装置２１は、ホスト装置１２から取引許可を受信すると、受け付けた取引内容に基づいて、現金の計数等の所定の処理を実行する。ホスト装置１２は、自動取引装置２１から要求された取引を管理する。また、ホスト装置１２は、取引の可否情報を含む応答電文を自動取引装置２１に送信する。
【００２８】
図３は、第２の実施の形態に係る自動取引装置のハードウェアの一例を示す図である。
自動取引装置２１は、制御装置２１ａと、制御装置２１ａによって制御される複数の装置とを有している。制御装置２１ａは、ＣＰＵ（Central Processing Unit）１０１によって装置全体が制御されている。ＣＰＵ１０１には、バス１０８を介してメモリ１０２と複数の周辺機器が接続されている。メモリ１０２は、例えば、ＲＡＭ（Random Access Memory）である。
【００２９】
メモリ１０２は、制御装置２１ａの主記憶装置として使用される。メモリ１０２には、ＣＰＵ１０１に実行させるＯＳ（Operating System）のプログラムやアプリケーションプログラムの少なくとも一部が一時的に格納される。また、メモリ１０２には、ＣＰＵ１０１による処理に必要な各種データが格納される。
【００３０】
バス１０８に接続されている周辺機器としては、ハードディスクドライブ（ＨＤＤ:Hard Disk Drive）１０３、グラフィック処理装置１０４、入力インタフェース１０５、入出力インタフェース１０６、および通信インタフェース１０７がある。
【００３１】
ＨＤＤ１０３は、内蔵したディスクに対して、磁気的にデータの書き込みおよび読み出しを行う。ＨＤＤ１０３は、制御装置２１ａの二次記憶装置として使用される。ＨＤＤ１０３には、ＯＳのプログラム、アプリケーションプログラム、および各種データが格納される。なお、二次記憶装置としては、フラッシュメモリ等の半導体記憶装置を使用することもできる。
【００３２】
グラフィック処理装置１０４には、ディスプレイ３１が接続されている。グラフィック処理装置１０４は、ＣＰＵ１０１からの命令に従って、画像をディスプレイ３１の画面に表示させる。ディスプレイ３１としては、ＣＲＴ（Cathode Ray Tube）を用いた表示装置や液晶表示装置等がある。
【００３３】
入力インタフェース１０５には、タッチパネル３２が接続されている。タッチパネル３２は、ディスプレイ３１の上面に配置されており、ディスプレイ３１に表示された画像は、タッチパネル３２を透過し、利用者に視認される。入力インタフェース１０５は、タッチパネル３２から送られてくる信号をＣＰＵ１０１に送信する。
【００３４】
入出力インタフェース１０６には、対人センサ３３と、紙幣取扱ユニット３４と、硬貨取扱ユニット３５と、通帳取扱ユニット３６と、カード・レシート取扱ユニット３７と、電源ユニット３８とが接続されている。
【００３５】
入出力インタフェース１０６は、対人センサ３３、紙幣取扱ユニット３４、硬貨取扱ユニット３５、通帳取扱ユニット３６、カード・レシート取扱ユニット３７、および、電源ユニット３８から送られてくる信号をＣＰＵ１０１に送信する。また、入出力インタフェース１０６は、ＣＰＵ１０１から送られてくる信号を、対人センサ３３、紙幣取扱ユニット３４、硬貨取扱ユニット３５、通帳取扱ユニット３６、カード・レシート取扱ユニット３７、および、電源ユニット３８に送信する。
【００３６】
対人センサ３３は、自動取引装置２１の正面に人が立つと、これを検出して検出信号をＣＰＵ１０１に送信する。紙幣取扱ユニット３４は、ＣＰＵ１０１からの命令に従って、紙幣の計数、紙幣の搬送、紙幣の出入、および、紙幣の収納等を実行する。硬貨取扱ユニット３５は、ＣＰＵ１０１からの命令に従って、硬貨の計数、硬貨の搬送、硬貨の出入、および、硬貨の収納等を実行する。
【００３７】
通帳取扱ユニット３６は、ＣＰＵ１０１からの命令に従って、通帳の搬送、通帳の出入、および、通帳への印字等を実行する。カード・レシート取扱ユニット３７は、ＣＰＵ１０１からの命令に従って、カード情報の読み取り、カードの出入、カードおよびレシートの搬送、レシートの排出、および、レシートへの印字を実行する。
【００３８】
電源ユニット３８は、電力供給コード２３ａに接続されており、制御装置２１ａ、ディスプレイ３１、タッチパネル３２、対人センサ３３、紙幣取扱ユニット３４、硬貨取扱ユニット３５、通帳取扱ユニット３６、および、カード・レシート取扱ユニット３７に電源ライン３８ａを介して電力を供給する。
【００３９】
通信インタフェース１０７は、ネットワーク１３に接続されている。通信インタフェース１０７は、ネットワーク１３を介して、他のコンピュータまたは通信機器との間でデータの送受信を行う。
【００４０】
なお、紙幣取扱ユニット３４、硬貨取扱ユニット３５、通帳取扱ユニット３６、および、カード・レシート取扱ユニット３７は、モータおよびマグネット等によって動作するメカユニットである。
【００４１】
また、紙幣取扱ユニット３４、硬貨取扱ユニット３５、通帳取扱ユニット３６、および、カード・レシート取扱ユニット３７はそれぞれ、ＣＰＵ１０１からの命令に従って、単独で、または、他のメカユニットと並行して動作する。
【００４２】
以上のようなハードウェア構成によって、本実施の形態の処理機能を実現することができる。
図４は、第２の実施の形態に係る電源ユニットの回路の一例を示す図である。
【００４３】
電源ユニット３８は、電力供給コード２３ａに接続されたＡＣ→ＤＣ変換回路４１および停電検出回路４２と、バッテリ４３と、入出力インタフェース１０６に接続された電源切換制御回路４４と、電源切換回路４５と、規格電圧出力回路４６とを有している。
【００４４】
ＡＣ→ＤＣ変換回路４１は、電力供給コード２３ａに供給される交流電流を、直流電流に変換して出力する。バッテリ４３は、ＡＣ→ＤＣ変換回路４１の出力電圧により充電される。停電検出回路４２は、電力供給コード２３ａの電圧または電流を監視し、停電したことを検出すると、検出信号を電源切換制御回路４４に出力する。
【００４５】
電源切換制御回路４４は、入出力インタフェース１０６から送られてくる信号、または、停電検出回路４２から出力された検出信号に基づいて、制御信号を生成し、電源切換回路４５に出力する。
【００４６】
電源切換回路４５は、電源切換制御回路４４から出力された制御信号に応じて、規格電圧出力回路４６に接続する対象を、ＡＣ→ＤＣ変換回路４１とバッテリ４３との間で切り換える。
【００４７】
すなわち、電源切換回路４５は、停電検出回路４２から検出信号が出力されていない場合、入出力インタフェース１０６から送られてくる信号に応じて、規格電圧出力回路４６に接続する対象を、ＡＣ→ＤＣ変換回路４１とバッテリ４３との間で切り換える。また、電源切換回路４５は、停電検出回路４２が停電を検出して検出信号を出力した場合には、入出力インタフェース１０６から送られてくる信号に関係なく、規格電圧出力回路４６をバッテリ４３と接続する。
【００４８】
規格電圧出力回路４６は、電源切換回路４５を経由して供給される電圧を、規格電圧に調整して電源ライン３８ａに出力する。
このように、電源ユニット３８では、停電時を除き、電源ライン３８ａに供給される電力の供給元が、入出力インタフェース１０６から送られてくる信号に応じて、配電盤２３とバッテリ４３との間で切り換わる。また、バッテリ４３は、無停電電源（ＵＰＳ：Uninterruptible Power Supply）としても機能する。
【００４９】
図５は、第２の実施の形態に係る制御装置の機能の一例を示す図である。
制御装置２１ａは、ホスト装置１２に接続された取引制御部５１と、消費電力情報格納部５３と、消費電力情報格納部５３および電源ユニット３８の電源切換制御回路４４に接続された電力供給制御部５２とを有している。
【００５０】
消費電力情報格納部５３には、紙幣取扱ユニット３４、硬貨取扱ユニット３５、通帳取扱ユニット３６、および、カード・レシート取扱ユニット３７のそれぞれの最大消費電力を示す消費電力情報が格納されている。
【００５１】
取引制御部５１は、ディスプレイ３１、タッチパネル３２、対人センサ３３、紙幣取扱ユニット３４、硬貨取扱ユニット３５、通帳取扱ユニット３６、および、カード・レシート取扱ユニット３７を制御している。
【００５２】
取引制御部５１は、取引内容を受け付けて、取引の要求をホスト装置１２に送信する。また、取引制御部５１は、ホスト装置１２から取引許可を受信すると、紙幣取扱ユニット３４、硬貨取扱ユニット３５、通帳取扱ユニット３６、および、カード・レシート取扱ユニット３７を用いて所定の処理を実行する。所定の処理には、例えば、現金の計数処理、現金の出金処理、レシートの排出処理、および、カードまたは通帳の返却処理等がある。
【００５３】
電力供給制御部５２は、電源ユニット３８を監視し、電源ライン３８ａに供給される電力の供給元が、配電盤２３かバッテリ４３かを検出する。また、電力供給制御部５２は、取引制御部５１が実行する所定の処理に従って動作するメカユニットを、紙幣取扱ユニット３４、硬貨取扱ユニット３５、通帳取扱ユニット３６、および、カード・レシート取扱ユニット３７の中から検出する。
【００５４】
また、電力供給制御部５２は、消費電力情報格納部５３にアクセスして、各メカユニットの最大消費電力を取得する。また、電力供給制御部５２は、取得した最大消費電力に基づいた計算を行う。また、電力供給制御部５２は、電源切換制御回路４４に、信号を出力する。
【００５５】
また、電力供給制御部５２は、許容消費電力を記憶している。許容消費電力は、配電盤２３の電力供給能力に基づいて設定されている。例えば、許容消費電力は、配電盤２３の電力供給能力と同じ値に設定されている。なお、許容消費電力の値は、変更することが可能である。
【００５６】
図６は、第２の実施の形態に係る消費電力情報の一例を示す図である。
消費電力情報格納部５３に格納される消費電力情報５３ａには、紙幣取扱ユニット３４、硬貨取扱ユニット３５、通帳取扱ユニット３６、および、カード・レシート取扱ユニット３７毎の最大消費電力が示されている。
【００５７】
紙幣取扱ユニット３４の最大消費電力は４００Ｗ、硬貨取扱ユニット３５の最大消費電力は２００Ｗ、通帳取扱ユニット３６の最大消費電力は５０Ｗ、カード・レシート取扱ユニット３７の最大消費電力は５０Ｗである。
【００５８】
さらに、消費電力情報５３ａには、紙幣取扱ユニット３４、硬貨取扱ユニット３５、通帳取扱ユニット３６、および、カード・レシート取扱ユニット３７が動作していない状態において自動取引装置２１が消費する最大消費電力が示されている。この最大消費電力は、３２０Ｗである。
【００５９】
次に、自動取引装置２１による取引の手順について説明する。
図７、図８は、第２の実施の形態に係る取引の手順の一例を示すフローチャートである。
【００６０】
［ステップＳ１１］取引制御部５１が、利用者によって選択された取引種別を受け付ける。取引種別には、例えば、払戻、預入、振替、振込、および、残高照会等がある。
［ステップＳ１２］取引制御部５１が、利用者によって挿入されたカードまたは通帳からカード情報または通帳情報を読み取る。
【００６１】
［ステップＳ１３］取引制御部５１が、利用者によって入力された暗証番号を受け付ける。
［ステップＳ１４］取引制御部５１が、利用者によって入力された取引金額を受け付ける。なお、このステップは、取引種別によっては省略される。
【００６２】
［ステップＳ１５］取引制御部５１が、受け付けた取引内容に基づく取引をホスト装置１２に要求する。
［ステップＳ１６］取引制御部５１が、ホスト装置１２から応答電文を受信する。
【００６３】
［ステップＳ１７］取引制御部５１が、受信した応答電文が取引許可を示すものであるかどうかを判定する。取引許可を示すものである場合、取引制御部５１は、処理をステップＳ１８に進める。取引許可を示すものではない場合、取引制御部５１は、処理をステップＳ２１に進める。
【００６４】
［ステップＳ１８］取引制御部５１が、受け付けた取引内容に基づいて、現金を計数する。なお、このステップは、取引種別によっては省略される。
［ステップＳ１９］取引制御部５１が、受け付けた取引内容に基づいて、現金を出金する。なお、このステップは、取引種別によっては省略される。
【００６５】
［ステップＳ２０］取引制御部５１が、レシートを排出する。
［ステップＳ２１］取引制御部５１が、カードまたは通帳を返却して処理を終了する。
なお、上記のステップＳ１９〜Ｓ２１は、順番を入れ替えてもよく、また、同時に実行することとしてもよい。
【００６６】
次に、自動取引装置２１による電力供給の手順について説明する。
図９は、第２の実施の形態に係る電力供給の手順の一例を示すフローチャートである。
図９に示す処理は、例えば、図７、図８に示す処理のうちステップＳ１８，Ｓ１９，Ｓ２０，Ｓ２１がそれぞれ開始される前に実行される。また、図９に示す処理は、例えば、図７、図８に示す処理のうち、最大消費電力の大きいメカユニットの動作を伴う特定の１つのステップ（例えば、ステップＳ１８の現金の計数）を開始する前にだけ実行することとしてもよい。
【００６７】
［ステップＳ３１］電力供給制御部５２が、取引制御部５１が実行する処理に従って動作するメカユニットを検出する。
［ステップＳ３２］電力供給制御部５２が、消費電力情報格納部５３にアクセスし、検出したメカユニット毎の最大消費電力を取得する。
【００６８】
［ステップＳ３３］電力供給制御部５２が、取得した最大消費電力の総和を算出する。
［ステップＳ３４］電力供給制御部５２が、消費電力情報格納部５３にアクセスして、メカユニットが動作しない状態における自動取引装置２１の最大消費電力を取得し、これを算出した最大消費電力の総和に加算する。
【００６９】
［ステップＳ３５］電力供給制御部５２が、算出した消費電力が、許容消費電力以下かどうかを判定する。算出した消費電力が、許容消費電力以下である場合、電力供給制御部５２は、処理をステップＳ３６に進める。算出した消費電力が、許容消費電力よりも大きい場合、電力供給制御部５２は、処理をステップＳ３８に進める。
【００７０】
［ステップＳ３６］電力供給制御部５２が、電源ライン３８ａに供給される電力の供給元が、バッテリ４３であるかどうかを判定する。電力の供給元がバッテリ４３である場合、電力供給制御部５２は、処理をステップＳ３７に進める。電力の供給元がバッテリ４３ではない場合、すなわち、配電盤２３である場合、電力供給制御部５２は、処理を終了する。
【００７１】
［ステップＳ３７］電力供給制御部５２が、電源切換制御回路４４に信号を送信して、電源ライン３８ａに供給される電力の供給元を、バッテリ４３から配電盤２３へ切り換えて処理を終了する。
【００７２】
［ステップＳ３８］電力供給制御部５２が、電源ライン３８ａに供給される電力の供給元が、配電盤２３であるかどうかを判定する。電力の供給元が配電盤２３である場合、電力供給制御部５２は、処理をステップＳ３９に進める。電力の供給元が配電盤２３ではない場合、すなわち、バッテリ４３である場合、電力供給制御部５２は、処理を終了する。
【００７３】
［ステップＳ３９］電力供給制御部５２が、電源切換制御回路４４に信号を送信して、電源ライン３８ａに供給される電力の供給元を、配電盤２３からバッテリ４３へ切り換えて処理を終了する。
【００７４】
次に、配電盤２３が負担する自動取引装置２１の消費電力について説明する。
図１０は、第２の実施の形態に係る配電盤が負担する消費電力の遷移の一例を示す図である。図１０（Ａ）は、許容消費電力が、９２０Ｗ以上に設定されている場合の例である。図１０（Ｂ）は、許容消費電力が、４００Ｗに設定されている場合の例である。
【００７５】
まず、許容消費電力が、９２０Ｗ以上に設定されている場合について説明する。
図１０（Ａ）に示すように、取引が開始されると、自動取引装置２１の消費電力は、３００Ｗから３２０Ｗに上昇し、配電盤２３が負担する消費電力も３００Ｗから３２０Ｗに上昇する。なお、取引の開始時、電源ライン３８ａに供給される電力の供給元は、配電盤２３である。
【００７６】
そして、ステップＳ１８の現金の計数が開始されると、自動取引装置２１の消費電力は、９２０Ｗに上昇する。なお、現金の計数は、紙幣取扱ユニット３４および硬貨取扱ユニット３５の両方が動作している場合を想定している。
【００７７】
ここでは、許容消費電力が９２０Ｗに設定されているため、電源ライン３８ａに供給される電力の供給元は、配電盤２３のままであり、バッテリ４３には切り換わらない。そのため、配電盤２３が負担する消費電力も９２０Ｗに上昇する。ステップＳ１８が終了すると、自動取引装置２１の消費電力は３２０Ｗに戻る。なお、現金の計数にかかる時間は、例えば、１０秒である。
【００７８】
その後、例えば、ステップＳ２１の、カードの返却が開始されると、自動取引装置２１の消費電力は、３７０Ｗに上昇する。ここでは、許容消費電力が９２０Ｗに設定されているため、電源ライン３８ａに供給される電力の供給元は、配電盤２３のままであり、バッテリ４３には切り換わらない。そのため、配電盤２３が負担する消費電力も３７０Ｗに上昇する。
【００７９】
ステップＳ２１が終了すると、自動取引装置２１の消費電力は３２０Ｗに戻り、さらに、取引が終了すると、自動取引装置２１の消費電力は３００Ｗに下がる。これに伴い、配電盤２３が負担する消費電力も、３２０Ｗに戻り、さらに、３００Ｗに下がる。
【００８０】
次に、許容消費電力が、４００Ｗに設定されている場合について説明する。
図１０（Ｂ）に示すように、取引が開始されると、自動取引装置２１の消費電力は、３００Ｗから３２０Ｗに上昇し、配電盤２３が負担する消費電力も３００Ｗから３２０Ｗに上昇する。なお、取引の開始時、電源ライン３８ａに供給される電力の供給元は、配電盤２３である。
【００８１】
そして、ステップＳ１８の現金の計数が開始されると、自動取引装置２１の消費電力は、９２０Ｗに上昇する。なお、現金の計数は、紙幣取扱ユニット３４および硬貨取扱ユニット３５の両方が動作している場合を想定している。
【００８２】
ここでは、許容消費電力が４００Ｗに設定されているため、電源ライン３８ａに供給される電力の供給元は、配電盤２３からバッテリ４３に切り換わる。そのため、配電盤２３が負担する消費電力は０Ｗになる。ステップＳ１８が終了すると、自動取引装置２１の消費電力は３２０Ｗに戻る。これに伴い、電源ライン３８ａに供給される電力の供給元は、バッテリ４３から配電盤２３に切り換わる。これにより、配電盤２３が負担する消費電力は３２０Ｗになる。なお、現金の計数にかかる時間は、例えば、１０秒である。
【００８３】
その後、例えば、ステップＳ２１の、カードの返却が開始されると、自動取引装置２１の消費電力は、３７０Ｗに上昇する。ここでは、許容消費電力が４００Ｗに設定されているため、電源ライン３８ａに供給される電力の供給元は、配電盤２３のままであり、バッテリ４３には切り換わらない。そのため、配電盤２３が負担する消費電力も３７０Ｗに上昇する。
【００８４】
ステップＳ２１が終了すると、自動取引装置２１の消費電力は３２０Ｗに戻り、さらに、取引が終了すると、自動取引装置２１の消費電力は３００Ｗに下がる。これに伴い、配電盤２３が負担する消費電力も、３２０Ｗに戻り、さらに、３００Ｗに下がる。
【００８５】
例えば、図１０（Ｂ）に示す例では、バッテリ４３が使用される時間は、現金の計数が実行されている１０秒である。この間に消費されるバッテリ４３の電力量は、９２０Ｗ×１０秒≒２．６Ｗｈである。一日に現金の計数が２００回行われるとすると、一日に消費されるバッテリ４３の電力量は、約５２０Ｗｈである。これは、一般的な自動取引装置が備えている無停電電源により供給可能な電力量である。つまり、バッテリ４３に、一般的な自動取引装置が備えている無停電電源を流用することも可能である。
【００８６】
以上説明してきたように、自動取引装置２１によれば、バッテリ４３を使用するタイミングを、許容消費電力の値を変更することで変えることができる。これにより、自動取引装置２１では、バッテリ４３の使用タイミングを、配電盤２３の電力供給能力に応じて調整することが可能となる。
【００８７】
また、自動取引装置２１によれば、複数のメカユニットが並行して動作する場合でも、バッテリ４３を使用するタイミングを、許容消費電力に応じて制御することが可能となる。
【００８８】
また、自動取引装置２１によれば、バッテリ４３が、無停電電源としても機能するため、バッテリ４３とは別に無停電電源用のバッテリを設ける必要がない。このため、自動取引装置２１のコストを低減することが可能となる。
【００８９】
なお、上記の処理機能は、コンピュータによって実現することができる。その場合、自動取引装置２１が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリ等がある。磁気記憶装置には、ハードディスク装置（ＨＤＤ）、フレキシブルディスク（ＦＤ）、磁気テープ等がある。光ディスクには、ＤＶＤ（Digital Versatile Disc）、ＤＶＤ−ＲＡＭ、ＣＤ−ＲＯＭ（Compact Disc Read Only Memory）／ＲＷ（ReWritable）等がある。光磁気記録媒体には、ＭＯ（Magneto-Optical disk）等がある。
【００９０】
プログラムを流通させる場合には、例えば、そのプログラムが記録されたＤＶＤ、ＣＤ−ＲＯＭ等の可搬型記録媒体が販売される。また、プログラムをサーバコンピュータの記憶装置に格納しておき、ネットワークを介して、サーバコンピュータから他のコンピュータにそのプログラムを転送することもできる。
【００９１】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、ネットワークを介して接続されたサーバコンピュータからプログラムが転送されるごとに、逐次、受け取ったプログラムに従った処理を実行することもできる。
【００９２】
また、上記の処理機能の少なくとも一部を、ＤＳＰ（Digital Signal Processor）、ＡＳＩＣ（Application Specific Integrated Circuit）、ＰＬＤ（Programmable Logic Device）等の電子回路で実現することもできる。
【符号の説明】
【００９３】
１，２１  自動取引装置
２ａ，２ｂ，２ｃ  メカユニット
３，４３  バッテリ
４  変動装置
５  制御装置
６  外部電源
１０  自動取引システム
１１  店舗
１２  ホスト装置
１３  ネットワーク
２２  電力供給ライン
２３  配電盤
２３ａ  電力供給コード
３８  電源ユニット
３８ａ  電源ライン
４１  ＡＣ→ＤＣ変換回路
４２  停電検出回路
４４  電源切換制御回路
４５  電源切換回路
４６  規格電圧出力回路
５１  取引制御部
５２  電力供給制御部
５３  消費電力情報格納部
１０６  入出力インタフェース
【図１】
0005706807.tif 000002
【図２】
0005706807.tif 000003
【図３】
0005706807.tif 000004
【図４】
0005706807.tif 000005
【図５】
0005706807.tif 000006
【図６】
0005706807.tif 000007
【図７】
0005706807.tif 000008
【図８】
0005706807.tif 000009
【図９】
0005706807.tif 000010
【図１０】
0005706807.tif 000011